(57)【要約】【課題】切替期間における信号の放射を少なくして他の回路への影響を少なくすると共に、信号源を安定化する。【解決手段】信号源１と、信号源１を第一の負荷回路３または第二の負荷回路４に接続する切替手段２とを有し、少なくとも信号源１が第一の負荷回路３又は第二の負荷回路４の一方から切り離され他方に接続されるまでの期間、切替手段２から放射する信号を減衰するための放射量減衰手段５を信号源１と切替手段２との間に設けて、他の回路に飛び移る信号のレベルを少なくする。【選択図】　　　　図１
2004088400.tif 000002
【特許請求の範囲】
【請求項１】
信号源と、前記信号源を第一の負荷回路または第二の負荷回路に接続する切替手段とを有し、少なくとも前記信号源が前記第一又は第二の負荷回路の一方から切り離されて他方に接続されるまでの期間において前記切替手段から放射する信号を減衰するための放射量減衰手段を前記信号源と前記切替手段との間に設けたことを特徴とする切替回路。
【請求項２】
前記放射量減衰手段は第三の負荷回路を有し、前記第三の負荷回路を前記信号源が前記一方の負荷回路から切り離される前から前記他方の負荷回路に接続された後までの期間前記信号源に接続したことを特徴とする請求項１に記載の切替回路。
【請求項３】
前記第三の負荷回路のインピーダンスを前記第一の負荷回路のインピーダンスと前記第二の負荷回路のインピーダンスとのほぼ平均値に設定したことを特徴とする請求項２に記載の切替回路。
【請求項４】
前記放射量減衰手段は増幅器を有し、少なくとも前記増幅器の利得を前記信号源が前記一方の負荷回路から切り離される前から前記他方の負荷回路に接続された後までの期間において減衰したことを特徴とする請求項１に記載の切替回路。
【請求項５】
前記増幅器の利得を前記増幅器における増幅素子のバイアス電圧を変えて減衰したことを特徴とする請求項４に記載の切替回路。
【請求項６】
前記信号源を電圧制御発振器で構成したことを特徴とする請求項１乃至５のいずれかに記載の切替回路。
【発明の詳細な説明】
【０００１】
【発明の属する技術分野】
本発明は信号源に接続される負荷回路を切り替える切替回路に関する。
【０００２】
【従来の技術】
従来の切替回路を図５に示す。図５において、信号源１１から出力される信号は切替手段１２を介して負荷回路１３又は１４に供給される。切替手段１２は例えば単極双投型のスイッチ回路によって構成され、信号源１１に接続された入力端１２ａと各負荷回路１３、１４にそれぞれ接続された出力端１２ｂ、１２ｃとを有し、入力端１２ａは出力端１２ｂ又は１２ｃのいずれかに接続される。入力端１２ａが一方の出力端１２ｂに接続されている状態で、次に他方の出力端１２ｃに接続される場合においては、入力端１２ａが一方の出力端１２ｂから切り離されてから他方の出力端１２ｃに接続されるまでの切替期間は約１μＳ（マイクロ秒）である。この期間、入力端１２ａはいずれの出力端１２ｂ、１２ｃにも接続されない。
【０００３】
【発明が解決しようとする課題】
切替期間においては信号源がいずれの負荷回路にも接続されないので、切替手段の入力端が開放状態となり、信号源は大きな負荷変動を受けると共に、信号は入力端で放射される。その結果、信号源の動作が不安定になり、放射された信号は他の回路に飛び移り、その回路への妨害となる。
【０００４】
この発明は切替期間における信号の放射を少なくして他の回路への影響を少なくすると共に、信号源を安定化することを目的とする。
【０００５】
【課題を解決するための手段】
上記の課題を解決する手段として、信号源と、前記信号源を第一の負荷回路または第二の負荷回路に接続する切替手段とを有し、少なくとも前記信号源が前記第一又は第二の負荷回路の一方から切り離されて他方に接続されるまでの期間において前記切替手段から放射する信号を減衰するための放射量減衰手段を前記信号源と前記切替手段との間に設けた。
【０００６】
また、前記放射量減衰手段は第三の負荷回路を有し、前記第三の負荷回路を前記信号源が前記一方の負荷回路から切り離される前から前記他方の負荷回路に接続された後までの期間前記信号源に接続した。
【０００７】
また、前記第三の負荷回路のインピーダンスを前記第一の負荷回路のインピーダンスと前記第二の負荷回路のインピーダンスとのほぼ平均値に設定した。
【０００８】
また、前記放射量減衰手段は増幅器を有し、少なくとも前記増幅器の利得を前記信号源が前記一方の負荷回路から切り離される前から前記他方の負荷回路に接続された後までの期間において減衰した。
【０００９】
また、前記増幅器の利得を前記増幅器における増幅素子のバイアス電圧を変えて減衰した。
【００１０】
また、前記信号源を電圧制御発振器で構成した。
【００１１】
【発明の実施の形態】
本発明の切替回路の第一の実施形態を図１に示す。信号源１から出力される信号は切替手段２を介して第一の負荷回路３又は第二の負荷回路４に供給される。信号源１は例えば電圧制御発振器で構成される。また、切替手段２は例えば単極双投型のスイッチ回路によって構成され、信号源１に接続された入力端２ａと各負荷回路３、４にそれぞれ接続された出力端２ｂ、２ｃとを有し、入力端２ａは出力端２ｂ又は２ｃのいずれかに接続される。入力端２ａが一方の出力端２ｂに接続されている状態で、次に他方の出力端２ｃに接続される場合においては、入力端２ａが一方の出力端２ｂから切り離されてから他方の出力端２ｃに接続されるまでの切替期間は約１μＳ（マイクロ秒）である。この期間、入力端２ａはいずれの出力端２ｂ、２ｃにも接続されない。
【００１２】
信号源１と切替手段２との間には放射量減衰手段５が設けられる。放射量減衰手段５は互いに直列に接続された開閉手段５ａと第三の負荷回路５ｂとを有し、切替手段２の入力端２ａとグランドとの間に接続される。第三の負荷回路５ｂは第一の負荷回路３及び第二の負荷回路４のインピーダンスと同程度であることが望ましい。第一の負荷回路３のインピーダンスと第二の負荷回路４のインピーダンスは一般には等しいが、互いに異なるときはそれらの平均のインピーダンスにする。開閉手段５ａは通常は開状態となっているが、切替制御回路６からの切替信号によって切替手段２の切替動作に連動して一時的に閉状態となる。
【００１３】
すなわち、切替手段２の入力端２ａが例えば時刻ｔ１で一方の出力端２ｂから切り離されるとしたらその直前（例えば０．２μＳ前の時刻ｔ０）から他方の出力端２ｃに接続された時刻ｔ２の直後（例えば０．２μＳ後のｔ３）までの間で閉状態となる。従って、信号源１に接続される負荷回路の時間的な変化は図２に示すようになる。よって、時刻ｔ０からｔ１までの間では第一の負荷回路３と第三の負荷回路５ｂとの二つが信号源１に接続され、時刻ｔ２からｔ３までの間は第二の負荷回路４と第三の負荷回路５ｂとの二つが信号源１に接続される。
【００１４】
このことにより、切替手段２の入力端２ａが開放状態となることが無く、接続されている二つの負荷回路のほぼ１／２のインピーダンスで終端されるので信号源の負荷変動は少なくなり、入力端２ａからの信号の放射量は少なくなる。また、信号源１として電圧制御発振器を使用した場合は負荷変動が少なくなるので発振周波数の変動が少なくなる。また、入力端２ａが開放状態とならないので信号源１側への反射量も少なくなり、信号源１は安定に動作する。
【００１５】
図３は第二の実施の形態を示す。信号源１と切替手段２との間に設けられた放射量減衰手段７は増幅器７ａと、この増幅器７ａにおける増幅素子ＴＲのベースバイアス電圧を切り替える開閉手段７ｂとからなる。増幅器７ａの出力端は切替手段２の入力端２ａに接続される。開閉手段７ｂは通常は開状態となっているが、切替制御回路６からの切替信号によって切替手段２の切替動作に連動して一時的に閉状態となる。
【００１６】
すなわち、切替手段２の入力端２ａが例えば時刻ｔ１で一方の出力端２ｂから切り離されるとしたらその直前（例えば０．２μＳ前の時刻ｔ０）から他方の出力端２ｃに接続された時刻ｔ２の直後（例えば０．２μＳ後のｔ３）までの間で閉状態となる。従って、この間では増幅素子ＴＲのベースバイアス電圧が低くなり利得が減衰する。増幅器７ａの利得の時間的な変化は図４に示すように、時刻ｔ０まではＧ１、時刻ｔ０から時刻３まではＧ１よりも低いＧ２、時刻ｔ３以降はＧ１となる。よって、時刻ｔ０からｔ３までの間では入力端２ａから放射される信号のレベルは低くなる。また、増幅器７ａが信号源１と切替手段２との間に介在するので、信号源１は大きな負荷変動を受けず、信号源１側への反射量も少ない。よって信号源１は安定に動作する。
【００１７】
【発明の効果】
以上説明したように、本発明の切替回路は、信号源を第一の負荷回路または第二の負荷回路に接続する切替手段とを有し、少なくとも信号源が第一又は第二の負荷回路の一方から切り離され他方に接続されるまでの期間、切替手段から放射する信号を減衰するための放射量減衰手段を信号源と切替手段との間に設けたので、他の回路に飛び移る信号のレベルが低くなる。よって他の回路が妨害を受けにくくなる。
【００１８】
また、放射量減衰手段は第三の負荷回路を有し、第三の負荷回路を信号源が一方の負荷回路から切り離される直前から他方の負荷回路に接続された直後までの期間信号源に接続したので、信号源が開放状態になることがない。よって、信号源のは大きな負荷変動を受けないので安定に動作する。
【００１９】
また、第三の負荷回路のインピーダンスを第一の負荷回路のインピーダンスと第二の負荷回路のインピーダンスとのほぼ平均値に設定したので負荷変動は小さく押さえられる。
【００２０】
また、放射量減衰手段は増幅器を有し、増幅器の利得を信号源が一方の負荷回路から切り離される直前から前記他方の負荷回路に接続された直後までの期間減衰したので、切替期間における信号の放射が少なくなると共に、信号源側への負荷変動も小さくなる。
【００２１】
また、増幅器の利得を増幅器における増幅素子のバイアス電圧を変えて減衰したので簡単に利得を変化できる。
【００２２】
また、信号源を電圧制御発振器で構成したので、負荷回路を切り替える期間において発振周波数の変動を来さない。
【図面の簡単な説明】
【図１】本発明の切替回路の第一の実施の形態を示す回路図である。
【図２】本発明の切替回路の第一の実施の形態における切替時の接続状態を示すタイミング図である。
【図３】本発明の切替回路の第二の実施の形態を示す回路図である。
【図４】本発明の切替回路の第二の実施の形態における切替時の利得変化を示すタイミング図である。
【図５】従来の切替回路の構成を示す回路図である
【符号の説明】
１　信号源
２　切替手段
２ａ　入力端
２ｂ、２ｃ　出力端
３　第一の負荷回路
４　第二の負荷回路
５　放射量減衰手段
５ａ　開閉手段
５ｂ　第三の負荷回路
６　切替制御回路
７　放射量減衰手段
７ａ　増幅器
７ｂ　開閉手段
【図１】
2004088400.tif 000003
【図２】
2004088400.tif 000004
【図３】
2004088400.tif 000005
【図４】
2004088400.tif 000006
【図５】
2004088400.tif 000007